(57)【要約】【課題】  従来のアーチェリー用指プロテクターよりもアンカリングさせた引手を確実に安定させることができるアーチェリー用指プロテクターを得る。【解決手段】板状の把持部２と、把持部２に上下移動可能に取り付けられた顎当て部３とを有するアーチェリー用指プロテクター１の、顎当て部３を、略Ｌ字形に形成し、一片側を顎当て片３ａとし、他片側を把持部２に固定される固定脚片３ｂとし、把持部２には、その上辺から下辺側に向かって顎当て部３の固定脚片３ｂが嵌合する溝部を形成した。【選択図】  図２
2020180758.tif 000002
【特許請求の範囲】
【請求項１】
板状の把持部と、前記把持部に上下移動可能に取り付けられた顎当て部とを有するアーチェリー用指プロテクターであって、
前記顎当て部は、略Ｌ字形に形成され、一片側を顎当て片とし、他片側を前記把持部に固定される固定脚片としており、
前記把持部には、その上辺から下辺側に向かって前記顎当て部の前記固定脚片が嵌合する溝部が形成されていることを特徴とするアーチェリー用指プロテクター。
【請求項２】
前記溝部の左右方向の深さは、前記固定脚片の厚み幅と略同一であることを特徴とする請求項１に記載のアーチェリー用指プロテクター。
【請求項３】
前記顎当て部は、前記顎当て片が前記把持部を跨ぎ、前記固定脚片が嵌合している前記把持部の前記溝部の形成面から反対面側に突き出すように前記把持部に取り付けられていることを特徴とする請求項１又は２に記載のアーチェリー用指プロテクター。
【請求項４】
前記固定脚片には上下方向の長孔に形成されたネジ通し孔が設けられており、
前記溝部にはネジ穴が設けられており、
前記顎当て部の前記把持部への取り付けは、前記固定脚片を前記溝部に嵌合し、前記溝部の形成面側からネジを前記ネジ通し孔に挿入し前記ネジ穴に螺合することにより行われていることを特徴とする請求項１から３のいずか１項に記載のアーチェリー用指プロテクター。
【発明の詳細な説明】
【技術分野】
【０００１】
本発明は、アーチェリー競技で使用する、矢の射出時にストリングに取り掛けた指を保護するためのアーチェリー用指プロテクターに関する。
【背景技術】
【０００２】
アーチェリー競技で用いられるアーチェリー用の弓は、弓部とストリングとを備えており、弓部は、射手が手で保持をするハンドルと、ハンドルの上端と下端に設けられ端部にストリングが掛止されるリムとを有する。
【０００３】
このようなアーチェリー用の弓を用いた矢の射出は次のように行う。先ず、矢尾に設けられたノックと呼ばれるストリング掛止部により矢をストリングに係脱可能に掛止させ、ハンドルに設けられたレストと呼ばれる矢の載置部に矢の矢軸を載置して、矢を弓に番える。そして、ハンドルを保持する手とは反対の手の指を屈曲させ、その屈曲させた指をストリングに当接させて、指をストリングに取り掛ける。このとき、人差し指と中指との間には間隔を空け、その間隔に矢を通して指で矢を挟まないようにする。そして、この状態からハンドルを前方に押し出すとともに、ストリングを後方へ引いて、弓を引く。この弓を引く動作はドローイングと呼ばれ、また、ハンドルを前方へ押し出す手は押手と呼ばれ、ストリングを引く手は引手と呼ばれる。ドローイングでは、引手の人差し指と親指の付け根付近が顎の下又はその近傍に当接する位置までストリングを引く。これをアンカリングと呼ぶ。アンカリングが完了すると、ストリングは顎、口、鼻に触れ、引き切った状態になる。この状態をフルドローと呼ぶ。フルドローまで弓を引いたら、射手は照準を定める。これをエイミングという。エイミングが完了したら、ストリングに取り掛けた指を、屈曲させた状態からまっすぐな状態に戻す。これをリリースという。リリースを行うと、ドローイングにより弾性変形したリムが復元し、リムに掛止されているストリングが前方に移動し、ストリングにノックを介して掛止された矢が前方へ押し出される。そして、ストリングの前方への移動が止まると、ノックの後端開口からストリングが離脱して矢が前方に射出される。
【０００４】
このような矢の射出にあって、競技用のアーチェリー用弓に取り付けられるリムは一般に剛性が強く、ドローイング時にストリングに取り掛けた指にかかる圧力は非常に大きなものとなる。そのため、素手でドローイングを行うと、射手の指にストリングが強く食い込み、射手が指に痛みを感じ、正確なドローイングを行うことができなかったり、指先に怪我を負ったりするおそれがある。また、リリース時には、指を屈曲した状態からまっすぐにするときに、ストリングが指の腹を擦ってしまい、指先に怪我を負うといったおそれがある。
【０００５】
このような問題を防ぐため、従来、アーチェリーの分野では、タブと呼ばれるアーチェリー用指プロテクターが使用されている。アーチェリー用指プロテクター１００としては、図５に示すように、板状の把持部１０１と、把持部１０１の一側面１０１ａ側に取り付けられた弦掛け用シート１０２とを有し、また、把持部１０１の一側面１０１ａ側には指を通すためのリング状に形成されたホルダー１０３を取り付けたものが一般的に使用される。弦掛け用シート１０２は把持部１０１から前方に突出する弦掛け部１０４を有し、弦掛け部１０４には矢を通すための切り欠きが形成されている。射手は、このようなアーチェリー用指プロテクター１００を、ホルダー１０３に指を通して、把持部１０１の前方端部を指の第二関節近傍に合わせて装着し、図６に示すように弦掛けシート１０２を巻き込むようにして指を屈曲させ、弦掛けシート１０２を介してストリング１０５に取り掛けることにより、引手の指を保護する。また、アーチェリー用指プロテクター１００には、把持部１０１の一側面１０１ａ側から突出するフィンガースペーサー１０６が設けられており、ストリング１０５に取り掛けた人差し指と中指との間に矢を通す間隔を開けた状態を、ストリング１０５への指の取り掛けからリリースまで確実に維持できるようにしている。
【０００６】
さらに、アーチェリー用指プロテクター１００には、略Ｌ字形に形成され、一片側を顎当て片１０７ａとし、他片側を把持部１０１の他側面１０１ｂ側に固定される固定脚片１０７ｂとした顎当て部１０７が取り付けられている（図７参照。）。顎当て部１０７は、アンカリングさせた引手を安定させるための構成である。射手はアーチェリー用指プロテクター１００を装着した引手の親指を顎当て片１０７ａの下面に当接させ、アンカリング時には、顎当て片１０７ａの上面を顎の下又はその近傍に当接させる。即ち、アンカリングさせた引手の親指の上面を平坦な面を持つ顎当て片１０７ａを介して顎の下又はその近傍に当接させる。これにより、アンカリングさせた引手を安定させることができ、フルドローの姿勢を安定させ正確なリリースを可能とする。
【０００７】
このような顎当て部１０７を有するアーチェリー用指プロテクター１００では、顎当て部１０７の把持部１０２への取り付け位置が調整できないと、射手の手の大きさや厚みによっては、ストリングに取り掛けた引手の人差し指の上面と顎当て片１０７ａの上面との間に上下の段差ができてしまう場合がある。このような段差が生じると、引手の人差し指と親指の付け根付近を顎の下又はその近傍に当接させることが難しく、かえってアンカリングさせた引手を安定させることができないおそれがある。そこで、このような顎当て部１０７を有するアーチェリー用指プロテクター１００では、一般的に、顎当て部１０７の把持部１０１への固定を、固定脚片１０７ｂに形成された上下に伸びた長孔のネジ通し孔に、把持部１０１の一側面１０１ｂ側から挿入されたネジを、把持部１０１に形成したネジ穴に螺合することにより行っている。このようにすることにより、ネジ通し孔の上下幅の範囲で顎当て部１０７の位置を上下させることができる（例えば非特許文献１，２参照。）。
【先行技術文献】
【非特許文献】
【０００８】
【非特許文献１】ＦＩＶＩＣＳ  ＡＲＣＨＥＲＹ社、”２０１９  ＦＩＶＩＣＳ  ＰＲＯＤＵＣＴＳ  ＣＡＴＡＬＯＧＵＥ”ｐ３０−３２、［ｏｎｌｉｎｅ］、［平成３１年４月２３日検索］、インターネット＜URL:https://docs.wixstatic.com/ugd/b5d6fd#04f63a8845464156a81773a99f1c1484.pdf＞
【非特許文献２】ＷＩＮ＆ＷＩＮ  ＣＯ．，ＬＴＤ．、”ＥＺ  ＦＩＮＧＥＲ  ＴＡＢ”、［ｏｎｌｉｎｅ］、［平成３１年４月２３日検索］、インターネット＜URL:https://www.win-archery.com/bbs/board.php?bo#table=m1#3#2&wr#id=15&ct=＞
【発明の概要】
【発明が解決しようとする課題】
【０００９】
しかしながら、上記した従来のアーチェリー用指プロテクター１００には、把持部１０１の他側面１０１ｂ側に固定された固定脚部１０７ｂが、把持部１０１の他側面１０１ｂ側からの突出部となり、把持部１０１の他側面１０１ｂ側に段差を生じさせるため、引手の親指の位置を不安定にし、スムーズなドローイングが行えないおそれがあるといった問題がある。また、引手の親指に把持部１０１の他側面１０１ｂ側からの突出部である固定脚部が当接し、射手に不快感を与え、射手の集中力を阻害するおそれがあるといった問題がある。
【００１０】
また、上記したアーチェリー用指プロテクター１００は、固定脚部１０７ｂを把持部１０１の他側面１０１ｂ側に固定していることから、顎当て部１０７の把持部１０１への取り付け位置を上方に移動させたとき、顎当て片１０７ａと引手の人差し指との間に把持部１０１の厚み分の隙間ができるため、アンカリングさせた引手の安定感が落ちるといった問題がある。
【００１１】
本発明の目的は、上記した問題を解決し、従来のアーチェリー用指プロテクターよりもアンカリングさせた引手を確実に安定させることができるアーチェリー用指プロテクターを提供することにある。
【課題を解決するための手段】
【００１２】
上記の目的を達成するために、請求項１に記載の発明は、板状の把持部と、前記把持部に上下移動可能に取り付けられた顎当て部とを有するアーチェリー用指プロテクターであって、前記顎当て部は、略Ｌ字形に形成され、一片側を顎当て片とし、他片側を前記把持部に固定される固定脚片としており、前記把持部には、その上辺から下辺側に向かって前記顎当て部の前記固定脚片が嵌合する溝部が形成されていることを特徴とする。
【００１３】
請求項１に記載の発明によれば、前記顎当て部は、略Ｌ字形に形成され、一片側を顎当て片とし、他片側を前記把持部に固定される固定脚片としており、前記把持部には、その上辺から下辺側に向かって前記顎当て部の前記固定脚片が嵌合する溝部が形成されているので、前記固定脚片の前記把持部からの突出を抑えることができ、前記把持部の面に形成される段差を小さくすることができる。
【００１４】
請求項２に記載の発明は、請求項１に記載の、前記溝部の左右方向の深さは、前記固定脚片の厚み幅と略同一であることを特徴とする。
【００１５】
請求項２に記載の発明によれば、前記溝部の左右方向の深さは、前記固定脚片の厚み幅と略同一であるので、前記溝部に嵌合した前記固定脚片の面と前記把持部の面とが略同一面となる。これにより、前記固定脚片の前記把持部からの突出を無くし、前記把持部の面に段差を生じさせないようにすることができる。
【００１６】
請求項３に記載の発明は、請求項１又は２に記載の、前記顎当て部は、前記顎当て片が前記把持部を跨ぎ、前記固定脚片が嵌合している前記把持部の前記溝部の形成面から反対面側に突き出すように前記把持部に取り付けられていることを特徴とする。
【００１７】
請求項３に記載の発明によれば、前記顎当て部は、前記顎当て片が前記把持部を跨ぎ、前記固定脚片が嵌合している前記把持部の前記溝部の形成面から反対面側に突き出すように前記把持部に取り付けられているので、前記顎当て部の取り付け位置を上方に移動させても、アーチェリー用指プロテクターを装着した引手の人差し指と前記顎当て片との間に隙間が生じることを防ぐことができる。
【００１８】
請求項４に記載の発明は、請求項１から３に記載の、前記固定脚片には上下方向の長孔に形成されたネジ通し孔が設けられており、前記溝部にはネジ穴が設けられており、前記顎当て部の前記把持部への取り付けは、前記固定脚片を前記溝部に嵌合し、前記溝部の形成面側からネジを前記ネジ通し孔に挿入し前記ネジ穴に螺合することにより行われていることを特徴とする。
【００１９】
請求項４に記載の発明によれば、前記固定脚片には上下方向の長孔に形成されたネジ通し孔が設けられており、前記溝部にはネジ穴が設けられており、前記顎当て部の前記把持部への取り付けは、前記固定脚片を前記溝部に嵌合し、前記溝部の形成面側からネジを前記ネジ通し孔に挿入し前記ネジ穴に螺合することにより行われているので、前記顎当て部を前記把持部に前記ネジ通し孔の上下方向の長さの範囲で上下に移動可能に取り付ける事ができる。
【発明の効果】
【００２０】
本発明によれば、従来のアーチェリー用指プロテクターよりもアンカリングさせた引手を確実に安定させることができるアーチェリー用指プロテクターを得ることができる。
【図面の簡単な説明】
【００２１】
【図１】本発明に係るアーチェリー用指プロテクターを一側面側から見た斜視図である。
【図２】本例のアーチェリー用指プロテクターのフィンガースペーサーの一部省略分解説明図である。
【図３】本例のアーチェリー用指プロテクターの把持部を示す斜視図である。
【図４】本例のアーチェリー用指プロテクターのフィンガースペーサーを示す斜視図である。
【図５】従来のアーチェリー用指プロテクターを示す斜視図である。
【図６】従来のアーチェリー用指プロテクターの使用状態を示す説明図である。
【図７】従来のアーチェリー用指プロテクターの他側面側を示す側面図である。
【発明を実施するための形態】
【００２２】
以下、本発明に係るアーチェリー用指プロテクターの実施の形態の一例を、図面を参照して詳細に説明する。
図１は本発明に係るアーチェリー用指プロテクターを一側面側から見た斜視図、図２は本例のアーチェリー用指プロテクターのフィンガースペーサーの一部省略分解説明図、図３は本例のアーチェリー用指プロテクターの把持部を示す斜視図、図４は本例のアーチェリー用指プロテクターのフィンガースペーサーを示す斜視図、図５は従来のアーチェリー用指プロテクターを示す斜視図、図６は従来のアーチェリー用指プロテクターの使用状態を示す説明図、図７は従来のアーチェリー用指プロテクターの他側面側を示す側面図である。
【００２３】
本例のアーチェリー用指プロテクター１は、図１，図２に示すように、板状の把持部２と、把持部２に上下移動可能に取り付けられた顎当て部３とを備えている。顎当て部３は略Ｌ字形に形成されており、一片側が顎当て片３ａとなっており、他片側が把持部２に固定される固定脚片３ｂとなっている。
また、把持部２の一側面２ａ側に、前後に移動可能にフィンガースペーサー４を取り付け、把持部２とフィンガースペーサー４との間に弦掛け用シート５を配置している。フィンガースペーサー４は、ストリングに取り掛けた人差し指と中指との間に矢を通す間隔を容易に且つ確実に空けることができるようにした構成で、アーチェリー用指プロテクター１の装着時には、人差し指と中指とでフィンガースペーサー４を挟んで使用する。
さらに、把持部２の一側面２ａ側には指を通すためのリング状に形成されたホルダー６を取り付けている。
ここで、本明細書における前後方向とはアーチェリー用指プロテクターを引手に装着しストリングに取り掛けたときの矢の射出方向側を前方とし、射手側を後方としたものである。また、本明細書においては、前後方向に対し上下に交差する方向を上下方向とし、左右に交差する方向を左右方向としている。
【００２４】
把持部２は、アルミ、ステンレス、黄銅、チタン等の金属、樹脂又は皮革を素材として形成される板片であり、本例ではアルミを素材としている。把持部２の形状は、本例では上下方向が長辺となった略矩形状に形成されている。なお、把持部の形状は本例の形状に限定されるものではなく、射手が把持しやすい形状の板片であれば特に限定されない。
【００２５】
把持部２には、把持部２の一側面２ａに、その上辺から下辺側に向かって顎当て部３の固定脚片３ｂが嵌合する溝部７が形成されている。本例の溝部７は、その左右方向の深さが固定脚片３ｂの厚み幅と略同一に形成されている。また、溝部７には顎当て片固定用ネジ穴８が形成されている。
なお、溝部７の形成位置は把持部２の一側面２ａ側に限定されるものではなく、他側面２ｂ側に形成してもよく、また溝部７の左右方向の深さを固定脚片３ｂの厚み幅よりもやや深く、又は、やや浅く形成してもよい。これによっても、把持部２の面からの固定脚片の突出を抑え、把持部２の面に形成される段差を小さくすることができる。
【００２６】
また、把持部２の上部前方側には前後に伸びた長孔のネジ通し孔９が形成されており、ネジ通し孔９の周囲には座繰り１０が形成されている。把持部２の前方側と後方側には、上下に並んだシート固定用ネジ穴１１が形成されている。また、把持部２の中央部にはホルダー６を通すスリット１２が形成されている。さらに本例の把持部２には、ネジ通し孔９の前方に、弦掛け用シート４に形成された後述する切り欠きと対応した位置に切り欠き１３が形成されている。
【００２７】
本例の弦掛け用シート５は、把持部２の一側面２ａ側に取り付けられ、把持部２に固定される固定部１４と、把持部２の前方端部から突出する弦掛け部１５とからなる。弦掛け用シート５は、一般的に馬革、牛革又は鹿革等の皮革を素材として形成され、通常、２枚の皮革を重ねて使用する。本例では、把持部２と当接する側の弦掛け用シート５ａにいわゆる表革を使用し、把持部との当接面側が銀面となるように配置して、リリース時に把持部２と当接する側の弦掛け用シートの５ａの表面をストリングが抵抗なく滑ることができるようにしている。また、射手の引手側の弦掛け用シート５ｂには、指を保護するためのクッション性を有し、且つ、指が滑ることを防ぐことができるバックスキンやスエードを使用する。なお、弦掛け用シート５は皮革に限られるものではなく、表革やバックスキン等と同様の効果を得られる他の素材を使用することもできる。
【００２８】
弦掛け用シート５の固定部１４には、把持部２のシート固定用ネジ穴１１に対応する位置にネジ通し孔１６が形成されている。このネジ通し孔１６に一側面２ａ側からネジ１７を挿入し、シート固定用ネジ穴１１に螺合することにより弦掛け用シート５を把持部２に取り付ける。螺合するネジ１７は、頭部が弦掛け用シート５からの突出がなくなるまで引手側の弦掛け用シート５ｂに食い込むようにねじ込む。また、把持部２のネジ通し孔９と対応する位置にネジ通し孔と同形状のネジ通し孔１８が形成されている。また、固定部１４には、把持部２のスリット１２と対応する位置にスリット１２と同形状のスリット１９が形成されている。さらに、本例では、ネジ穴８と対応する位置にねじ回しが挿入される貫通孔２０が形成されている。
【００２９】
弦掛け用シート５の弦掛け部１５には、ネジ通し孔１８の前方の位置に、前方に開口した切り欠き２１が形成されている。切り欠き２１は矢の高さを超える上下幅に形成され、ストリングへの指の取り掛け時に弦掛けシート５が矢に触れないようになっている。切り欠き２１は、当初から形成しておいてもよいが、射手が使用する矢の高さに合わせて弦掛け用シートをハサミやカッターで切り取ることにより形成してもよい。
【００３０】
フィンガースペーサー４は、アルミ、ステンレス、黄銅、チタン等の金属又は樹脂を素材として形成される把持部２の一側面２ａ側から突出する部品であり、本例では、縦断面が前後方向に長く伸びた略楕円形の横倒しされた円柱形状に形成されている。なお、フィンガースペーサーの形状は本例の形状に限られず、アーチェリー用指プロテクター１の装着時に、人差し指と中指との間に挟まれ、人差し指と中指の間隔を矢の高さ以上の幅に維持できる形状であれば特に限定されない。フィンガースペーサー４は、弦掛け用シート５を間に挟み、把持部２に前後方向に移動可能に取り付けられる。本例では、把持部２の他側面２ｂ側からネジ通し孔９に挿入されたネジ２２を、フィンガースペーサー４の把持部２への取付箇所２３であるネジ穴２４に螺合することにより、ネジ通し孔９の前後の長さの範囲で移動可能にフィンガースペーサー４を把持部２に取り付けている。本例では、ネジ通し孔９の周囲に形成された座繰り１０内にネジ２２の頭部２２ａが収容されるので、ネジ２２の頭部２２ａが把持部２の他側面２ｂ側から突出することを防ぎ、アーチェリー用指プロテクター１の装着感を向上させている。また、本例のフィンガースペーサー４はネジ穴２４を前後に２つ設けており、より広い範囲でフィンガースペーサー４の把持部２への取り付け位置を前後に調整することができる。
【００３１】
また、本例ではフィンガースペーサー４の把持部２側の面４ａには、弦掛け用シート５に食い込み可能な回り止め突起が設けられている。本例の回り止め突起２７は、フィンガースペーサー４の把持部２への取付箇所２３であるネジ穴２４の上下の位置及び後方の位置でフィンガースペーサー４の把持部２側の面４ａを縁取る薄壁状に形成されている。
【００３２】
ホルダー６は、布、皮革、樹脂等で形成された帯状部材からなり、本例では、樹脂製の帯状部材の一端を、把持部２のスリット１２と弦掛け用シートのスリット１９の上下のいずれか一方に他側面２ｂ側から挿入し、把持部２のスリット１２と弦掛け用シート５のスリット１９の上下のいずれか他方に一側面２ａ側から挿入し帯状部材の両端を他側面２ｂで固定して一側面２ａ側にリング状に形成している。
【００３３】
顎当て部３は、アルミ、ステンレス、黄銅、チタン等の金属又は樹脂を素材として形成され、略Ｌ字状に形成された一片側の顎当て片３ａが把持部２の他側面２ｂ側に突き出るように、把持部２に取り付けられる。本例では、顎当て片３ａが把持部２を跨ぎ、固定脚片３ｂが嵌合している把持部２の溝部７の形成面である把持部２の一側面２ａ側からその反対面である把持部２の他側面２ｂ側に突き出すように把持部２に取り付けられている。顎当て部３の把持部２への取り付けは上下に移動可能に行われており、本例では、顎当て部３の固定脚片３ｂに上下に伸びたネジ通し孔２５を形成し、固定脚片３ｂ把持部２の一側面２ａ側に形成された溝部７に嵌合し、ネジ２６を把持部２の一側面２ａ側からネジ通し孔２５へ挿入し、溝部７に形成されたネジ穴８に螺合することにより行っている。このようにすることにより、顎当て部３を、ネジ通し孔２５の上下の長さの範囲で、上下に移動可能に把持部２に取り付けることができる。
【００３４】
このような、アーチェリー用指プロテクター１は次のように使用する。
先ず、ホルダー６に引手の中指を入れ、フィンガースペーサー４を人差し指と中指で挟み込み、親指を把持部２の他側面２ｂ側に回して顎当て部３の顎当て片３ａの下方に配置してアーチェリー用指プロテクター１を装着する。
【００３５】
アーチェリー用指プロテクター１を装着したら、顎当て片３ａの上面と引手の人差し指の上面との間に段差が生じていないかを確認する。顎当て片３ａの上面と引手の人差し指の上面の位置にズレがあり段差が生じている場合はネジ２６を緩めて、人差し指の上面と顎当て片３ａの上面とに顎当て部３の把持部２への上下の取り付け位置を調整する。本例では、弦掛けシート５の固定部１４の把持部２に設けたネジ穴８と対応する位置にレンチやドライバーといったねじ回しを挿入するための貫通孔２０が形成されているので、弦掛け用シート５を把持部２から取り外すことなくネジ２６を緩めて顎当て部３の把持部２への上下方向の取り付け位置の調整を容易にすることができる。
【００３６】
そして、顎当て部３の上下の位置の調整が終わったら、指を屈曲させてストリングに取り掛ける。そこからドローイングを行い、人差し指と親指の付け根近傍が顎の下又はその近傍に顎当て部３の顎当て片３ａを介して当接させるアンカリングをして、フルドロー状態にする。そして、アンカリングさせた引手を安定させてエイミングを行い、ストリングに取り掛けた指を真っ直ぐにしてリリースを行う。
【００３７】
このような、アーチェリー用指プロテクターによれば、顎当て部３は、略Ｌ字形に形成され、一片側を顎当て片３ａとし、他片側を把持部２に固定される固定脚片３ｂとしており、把持部２には、その上辺から下辺側に向かって顎当て部３ａの固定脚片３ｂが嵌合する溝部７が形成されているので、固定脚片３ｂの把持部２からの突出を抑えることができ、把持部２の面に形成される段差を小さくすることができる。
【００３８】
また、溝部７の左右方向の深さは、固定脚片３ｂの厚み幅と略同一であるので、溝部７に嵌合した固定脚片３ｂの面と把持部２の面とが略同一面となる。これにより、固定脚片３ｂの把持部２からの突出を無くし、把持部２の面に段差を生じさせないようにすることができる。
【００３９】
また、顎当て部３は、顎当て片３ａが把持部２を跨ぎ、固定脚片３ｂが嵌合している把持部２の溝部７の形成面である一側面２ａ側からその反対面である把持部２の他側面２ｂ側に突き出すように把持部２に取り付けられているので、顎当て部３の取り付け位置を上方に移動させても、アーチェリー用指プロテクター１を装着した引手の人差し指と顎当て片３ａとの間に隙間が生じることを防ぐことができる。
【００４０】
また、固定脚片３には上下方向の長孔に形成されたネジ通し孔２５が設けられており、溝部７にはネジ穴８が設けられており、顎当て部３の把持部２への取り付けは、固定脚片３ｂを溝部７に嵌合し、溝部７の形成面側からネジ２６をネジ通し孔２５に挿入しネジ穴８に螺合することにより行われているので、顎当て部３を把持部２にネジ通し孔２５の上下方向の長さの範囲で上下に移動可能に取り付ける事ができる。
【符号の説明】
【００４１】
１  アーチェリー用指プロテクター
２  把持部
２ａ  把持部の一側面
２ｂ  把持部の他側面
３  顎当て部
３ａ  顎当て片
３ｂ  固定脚片
４  フィンガースペーサー
４ａ  フィンガースペーサーの把持部側の面
５  弦掛けシート
５ａ  把持部と当接する側の弦掛け用シート
５ｂ  引手側の弦掛け用シート
６  ホルダー
７  溝部
８  顎当て片固定用ネジ穴
９  ネジ通し孔
１０  座繰り
１１  シート固定用ネジ穴
１２  スリット
１３  切り欠き
１４  固定部
１５  弦掛け部
１６  ネジ通し孔
１７  ネジ
１８  ネジ通し孔
１９  スリット
２０  貫通孔
２１  切り欠き
２２  ネジ
２２ａ  ネジの頭部
２３  取付箇所
２４  ネジ穴
２５  ネジ通し孔
２６  ネジ
２７  回り止め突起
１００  従来のアーチェリー用指プロテクター
１０１  把持部
１０１ａ  把持部の一側面
１０１ｂ  把持部の他側面
１０２  弦掛け用シート
１０３  ホルダー
１０４  弦掛け部
１０５  ストリング
１０６  フィンガースペーサー
１０７  顎当て部
１０７ａ  顎当て片
１０７ｂ  固定脚片
【図１】
2020180758.tif 000003
【図２】
2020180758.tif 000004
【図３】
2020180758.tif 000005
【図４】
2020180758.tif 000006
【図５】
2020180758.tif 000007
【図６】
2020180758.tif 000008
【図７】
2020180758.tif 000009